(57)【要約】無人地上センサユニット（３０）が開示され、ユニットのヘッド部分（５）に主に収容されるアンテナ（２）を備える。アンテナ（２）は、基部導体（１００）と頂部導体（１０２）とを備え、これらの両方とも水平面に配置される円形のプレートである。アンテナロッド（２０４）は、頂部導体（１０２）に電気的に接続される。基部導体（１００）に孔が提供され、アンテナロッド（２０４）がその孔を通って延びて、基部導体（１００）の反対側の印刷回路基板（１０４）上のアンテナ制御回路に接続される。絶縁リング（１０６）は、アンテナロッド（２０４）の基部導体（１００）を通って延びる部分の周囲に提供されて、アンテナロッド（２０４）が基部導体（１００）から電気的に絶縁されるようにする。２つの短絡ピン（２０５）は、頂部導体（１０２）および基部導体（１００）の間に提供される。短絡ピン（２０）は、アンテナロッド（２０４）の直径方向の両側に提供される。誘電体スペーサ（２０２）が提供され、その回転に抵抗するように係合され得る固定切り欠き部（１１２）を有する。
2015537427.tif 000002
【特許請求の範囲】
【請求項１】
無人地上センサに組み込まれるように構成されるアンテナであって、前記アンテナが、
第１の平面を有する第１の導体と、
第２の平面を有する第２の導体であって、前記第２の平面が前記第１の平面に対して実質的に平行である、第２の導体と、
前記第１の導体に接続され、前記第１および第２の導体の間に延びる、アンテナ導電ピンと、
前記第１の導体に接続され、前記第１および第２の導体の間に延びる１つまたは２つ以上の短絡ピンであって、前記１つまたは２つ以上の短絡ピンが、前記第１および第２の導体の両方に電気的に接続される、１つまたは２つ以上の短絡ピンと
を備える、アンテナ。
【請求項２】
前記アンテナ導電ピンが、前記第１の導体に電気的に接続され、かつ前記第２の導体から電気的に絶縁される、請求項１に記載のアンテナ。
【請求項３】
前記アンテナ導電ピンが、前記第２の導体にある孔を通って延在し、電気絶縁体が、前記第２の導体および前記アンテナ導電ピンの間に提供される、請求項２に記載のアンテナ。
【請求項４】
少なくとも２つの短絡ピンが存在し、前記アンテナ導電ピンの反対側に配置される、請求項１〜３のいずれか１項に記載のアンテナ。
【請求項５】
前記１つまたは２つ以上の短絡ピンが、前記アンテナ導電ピンと異なる材料から作られる、請求項１〜４のいずれか１項に記載のアンテナ。
【請求項６】
電流が前記導電ピンを通って前記第１の導体に導かれ得るように、前記アンテナ導電ピンに電気的に接続されるアンテナコントローラを備える、請求項１〜５のいずれか１項に記載のアンテナ。
【請求項７】
前記アンテナコントローラが、回路基板に提供され、前記回路基板が、前記第１の導体に対して、前記第２の導体の反対側に取り付けられる、請求項６に記載のアンテナ。
【請求項８】
前記第２の導体が固定電位で構成される、請求項１〜７のいずれか１項に記載のアンテナ。
【請求項９】
前記第１および第２の平面の間の空間に配置される固体誘電体スペーサをさらに備える、請求項１〜８のいずれか１項に記載のアンテナ。
【請求項１０】
前記固体誘電体が、それを通って前記アンテナ導電ピンが延在し得る孔を備える、請求項９に記載のアンテナ。
【請求項１１】
前記固体誘電体が、その回転に抵抗するように係合され得る固定機構を含む、請求項９または請求項１０に記載のアンテナ。
【請求項１２】
前記固体誘電体と係合するためのクランプをさらに備える、請求項９〜１１のいずれか１項に記載のアンテナ。
【請求項１３】
前記固体誘電体が、前記クランプによって係合され得るフランジを備える、請求項１２に記載のアンテナ。
【請求項１４】
動作周波数が、８００〜１０００ＭＨｚの範囲にある、請求項１〜１３のいずれか１項に記載のアンテナ。
【請求項１５】
無人地上センサであって、請求項１〜１４のいずれか１項に記載のアンテナを収容するためのハウジングを備える、無人地上センサ。
【請求項１６】
ユニットの領域における物理現象を感知するための少なくとも１つのセンサをさらに備え、前記アンテナが、前記感知した物理現象に関する情報を送信するように構成される、請求項１５に記載の無人地上センサ。
【請求項１７】
無人地上センサの組み立て方法であって、
アンテナコントローラとアンテナとの間に電気的接続を確立するステップであって、前記アンテナが、
第１の平面を有する第１の導体と、
第２の平面を有する第２の導体であって、前記第２の平面が前記第１の平面に対して実質的に平行である、第２の導体と、
前記第１の導体に接続され、前記第１および第２の導体の間に延びて、それらを離間する、アンテナ導電ピンと、
前記第１の導体に接続され、前記第１および第２の導体の間に延びる１つまたは２つ以上の短絡ピンであって、前記１つまたは２つ以上の短絡ピンが、前記第１および第２の導体の両方に電気的に接続される、１つまたは２つ以上の短絡ピンと
を備える、電気的接続を確立するステップと、
前記アンテナコントローラおよび前記アンテナを前記無人地上センサのハウジング内に収めるステップと、
前記アンテナが封入されるようにキャップを前記ハウジングに嵌めるステップと
を含む、無人地上センサの組み立て方法。
【請求項１８】
アンテナであって、
第１の平面を有する第１の導体と、
第２の平面を有する第２の導体であって、前記第２の平面が前記第１の平面に対して実質的に平行である、第２の導体と、
前記第１の導体に接続され、前記第１および第２の導体の間に延びる、導電ピンと、
前記第１および第２の平面の間の空間に配置される固体誘電体スペーサと、
前記固体誘電体と係合して、それを所定の位置に保持するためのクランプであって、前記固体誘電体が、その回転に抵抗するように係合され得る固定機構を含む、クランプと
を備える、アンテナ。
【請求項１９】
前記固体誘電体が、前記クランプによって係合され得るフランジを備える、請求項１８に記載のアンテナ。
【発明の詳細な説明】
【技術分野】
【０００１】
本発明は、無人地上センサに設置されるように構成されるアンテナに関する。
【背景技術】
【０００２】
無人地上センサユニットは、インフラストラクチャおよび人員の保護のためのセキュリティシステムの一部として用いられている。一般的に、いくつかの無人地上センサユニットが、保護する場所の周縁の周囲に、あるいは別の境界に沿って提供される。各無人地上センサユニットは、ユニットの領域における物理現象を感知するための少なくとも１つのセンサと、しばしばセンサの出力に基づいてユニットから離れた所へ信号を送信するための送信手段とを備える。したがって、例えば、センサユニットは、人、車またはその他の物体の通過を示す地中の振動を検出する地震センサを含むこともある。同様に、センサユニットは、音響センサ、磁力計、熱および光センサなどを含むこともあり、それぞれが、ユニットの領域における人または物体の存在あるいは人または物体の動きを検出するという同様の目的のためのものである。
【０００３】
一般的に無人地上センサは一緒にネットワークで接続され、そして、例えば、センサユニットのそれぞれの出力が監視されて、監視される場所の中または周囲における、人および／または物体の存在または動きに関する判定がなされ得る、中央制御ユニットに接続される。
【０００４】
無人地上センサは、一般的に、ホイップアンテナを有して、自身が互いにおよび／または中央制御ユニットと通信できるようにする。ホイップアンテナは、それらが簡素な設計であり、全方向放射パターン提供し得ることから用いられてきた。しかしながら、本発明者らは、ホイップアンテナが無人地上センサにとってのある欠点を有し得ることを認めている。まず、ホイップアンテナは、概してセンサから垂直に延びており、これは、これらが偽装したりカモフラージュしたりするのが困難であり得ることを意味する。次に、ホイップアンテナおよび／または外部ＲＦコネクタは、特に無人地上センサが配備され得る種類の危険な環境では、破壊されることもある。最後に、ホイップアンテナは、風の影響を受けて、地上センサをわずかに動かすこともあり、これらの動きは、地面が揺れたと誤って解釈されることがあり、また誤った警報／検出の原因となり得る。
【発明の概要】
【発明が解決しようとする課題】
【０００５】
一旦設置した後は比較的目立たない程度に一層人目につかないけれども、堅固かつ配備が容易である、無人地上センサユニット用のアンテナを提供することが望ましい。本発明は、これらの課題の少なくとも一部に対処する無人地上センサユニットを提供することを目的としている。
【課題を解決するための手段】
【０００６】
本発明によれば、無人地上センサに組み込まれるように構成されるアンテナが提供され、アンテナが、第１の平面を有する第１の導体と、第２の平面を有する第２の導体であって、第２の平面が第１の平面に対して実質的に平行である、第２の導体と、第１の導体に接続され、第１および第２の導体の間に延びて、それらを離間するアンテナ導電ピンと、第１の導体に接続され、第１および第２の導体の間に延びる１つまたは２つ以上の短絡ピンであって、１つまたは２つ以上の短絡ピンが、第１および第２の導体の両方に電気的に接続される１つまたは２つ以上の短絡ピンを備える。
【０００７】
このようにして、頂部負荷型アンテナが提供され得る。頂部負荷型アンテナは、同様の効率で同等の用途のためのホイップアンテナよりも概して短いことから、このことは有利である。このおかげで、より人目につかず、より容易にカモフラージュされ得る無人地上センサが可能になる。頂部負荷型アンテナはまた、無人地上センサの内部に収容され得、これは、アンテナが意図的または偶発的な破損に対して損傷を受けにくいことを意味している。例えば、破損させることなく、このようなアンテナを含む無人地上センサの上に車両を乗り上げることもできる。頂部負荷型アンテナはまた、特に、アンテナが完全に地上センサハウジング内に配置させることができるならば、風の影響を受けにくい。
【０００８】
アンテナ導電ピンは、電流がこれを通って第１の導体に導かれ得るように配置されることが好ましい。アンテナ導電ピンは、通常、接地電位にある第２の導体から絶縁されることが好ましい。１つまたは２つ以上の短絡ピンを含めることは、アンテナ効率を高め得ることが実験によって判明している。特に、短絡ピンは、アンテナの駆動回路への整合に役立ち得る。改良されたアンテナ効率は、電圧定在波比（ＶＳＷＲ）を測定することによって判定され得る。
【０００９】
アンテナ導電ピンは、第２の導体にある孔を通って延在し得、また電気絶縁体は、第２の導体およびアンテナ導電ピンの間に提供され得る。
【００１０】
アンテナは、アンテナ導電ピンの両側に配置される少なくとも２つの短絡ピンを備え得る。例えば、短絡ピンは、管状のアンテナ導電ピンの両側で、直径方向に互いに向かい合っていてもよい。この構成は、所与のアンテナ体積に対してアンテナ効率を改善することが分かっている。
【００１１】
１つまたは２つ以上の短絡ピンは、アンテナ導電ピンと異なる材料から作られ得る。一実施形態では、短絡ピンは、第１および第２の導電面と同じ材料から作られ得る。短絡ピンは、真鍮から作られ得、またアンテナ導電ピンは、銅から作られ得る。この構成は、所与のアンテナ体積に対してアンテナ効率を改善し得ることが実験によって判明している。
【００１２】
電流が導電ピンを通って第１の導体に導かれ得るように導電ピンに電気的に接続されるアンテナコントローラがあることが好ましい。アンテナコントローラは、回路基板に提供され得、回路基板は、第２の導体に取り付けられて、第１の導体に対して反対側に配置され得る。回路基板を第２の導体の下面に取り付けることによって、堅固かつ小型なアンテナ構成を作ることができる。
【００１３】
アンテナは、第１および第２の平面の間の空間に配置される固体誘電体スペーサを含み得る。固体誘電体は、空気よりも高い誘電率を有することが好ましい。このおかげで第１および第２の平面の間隔をさらに狭めることが可能になり、このことは、アンテナの物理的な寸法を小さくすることができるために有利である。固体誘電体はまた、第１および第２の平面をそうしないと曲げる、または歪ませ得る、あらゆる機械的な力に抵抗することによって、アンテナの堅牢性を改善し得る。固体誘電体は、ポリテトラフルオロエチレン（ＰＴＦＥ）などの材料であり得る。
【００１４】
固体誘電体は、それを通って導電ピンが延在し得る孔を備えることが好ましい。この構成は、組み立てプロセスを容易にして、固体誘電体が導電ピンの上に取り付けられるようにし得る。
【００１５】
固体誘電体は、その回転に抵抗するように係合され得る固定機構（ｋｅｙｉｎｇ  ｆｅａｔｕｒｅ）を含み得る。２つ以上の導電ピンが存在する場合、このことは特に重要であり得、それは、固体誘電体は、ピンを壊さずに回転できないためである。固定機構を提供することによって、固体誘電体は、回転可能に固定されて、導電ピンへのあらゆる損傷を防ぎ得る。
【００１６】
アンテナは、固体誘電体と係合するためのクランプを含み得る。クランプは、固体誘電体の垂直方向（すなわち、第１および第２の平面に対して実質的に垂直な方向）へのあらゆる動きに抵抗し得ることが好ましい。クランプはまた、アンテナの部品のすべてを一緒に固定するように配置され得る。一構成では、クランプは、無人地上センサのキャップの中に組み込まれてもよい。
【００１７】
固体誘電体は、クランプによって係合され得るフランジを備え得る。クランプはまた、固体誘電体上の固定機構と係合し得る固定機構を含み得る。このようにして、クランプは、固体誘電体の垂直および回転運動を阻止し得る。固体誘電体を回転させないようにして、第１および第２の導体にはんだ付けされ得る短絡ピンにかかる応力を防ぐことは重要であり得る。
【００１８】
動作周波数は、８００〜１０００ＭＨｚの範囲であることが好ましい。さらにアンテナは、８２５〜９５０ＭＨｚの範囲で動作するように設計されることが好ましい。アンテナは、世界の異なる地域で、異なる周波数で用いられる場合もある。
【００１９】
特定の構成では、動作周波数は、８２５ＭＨｚ未満であり得る。周波数が低くなると、アンテナの部品の寸法は、同じ効率を達成するためには、大きくなる必要がある場合がある。モバイル／携帯デバイスでは、これは、クランプ構成がより高質量をかかえなければならないことを意味する。
【００２０】
アンテナの送信範囲は、検出範囲の少なくとも２倍であるように設計され得る。このようにして、２つの地上センサが送信範囲だけ隔てられていれば、センサ間におけるあらゆる地面を振動させる活動は、それらのうちの少なくとも１つによって検出され得る。
【００２１】
本発明の別の態様によれば、上述のアンテナを収容するためのハウジングを備える無人地上センサが提供される。無人地上センサは、地面に固定されるように配置されて、あらゆる地面の振動を検出し得るようにすることが好ましい。アンテナをハウジング内に囲うことによって、アンテナは保護され得る。これは、外部ホイップアンテナを有するセンサと比較して、無人地上センサの信頼性を改善し得る。また無人地上センサをカモフラージュするのに役立ち得る。
【００２２】
無人地上センサは、ユニットの領域における物理現象を感知するための少なくとも１つのセンサをさらに備え、かつアンテナは、感知した物理現象に関する情報を送信するように構成されることが好ましい。無人地上センサユニットは、センサの出力に基づいてデータを記憶するためのメモリを備え得る。センサユニットは、ヘッド部分と、ねじ山のある外面を有する本体部分とを備え得る。ヘッド部分は、地面への設置の際、センサユニットを回転駆動するための道具と係合するための係合部分を備え得る。センサは、地震センサであることが好ましい。キャップと第１の導体との間の間隔は、アンテナ離調を最小限にするように最適化され得る。
【００２３】
本発明の別の態様によれば、アンテナコントローラとアンテナとの間に電気的接続を確立するステップであって、アンテナが、第１の平面を有する第１の導体と、第２の平面を有する第２の導体であって、第２の平面が第１の平面に対して実質的に平行である、第２の導体と、第１の導体に接続され、第１および第２の導体の間に延びて、それらを離間するアンテナ導電ピンと、第１の導体に接続され、第１および第２の導体の間に延びる１つまたは２つ以上の短絡ピンであって、１つまたは２つ以上の短絡ピンが、第１および第２の導体の両方に電気的に接続される１つまたは２つ以上の短絡ピンを備える、電気的接続を確立するステップと、アンテナコントローラおよびアンテナを無人地上センサのハウジング内に収めるステップと、アンテナが封入されるようにキャップをハウジングに嵌めるステップとを含む、無人地上センサの組み立て方法が提供される。
【００２４】
本発明のさらに別の態様によれば、第１の平面を有する第１の導体と、第２の平面を有する第２の導体であって、第２の平面が第１の平面に対して実質的に平行である、第２の導体と、第１の導体に接続され、第１および第２の導体の間に延びる導電ピンと、第１および第２の平面の間の空間に配置される固体誘電体スペーサと、固体誘電体と係合するためのクランプであって、固体誘電体が、その回転に抵抗するように係合され得る固定機構を含む、クランプとを備えるアンテナが提供される。
【００２５】
固体誘電体のおかげで、頂部負荷型アンテナが、所与の体積および効率で小型化して製造されるのが可能になり得る。固体誘電体は、アンテナ離調を最小限にし得、またこれは、第１および第２の平面をそうしないと曲げる、または歪ませ得る、あらゆる機械的な力に抵抗することによって、アンテナの堅牢性を改善し得る。クランプは、固体誘電体の垂直方向（すなわち、第１および第２の平面に対して実質的に垂直な方向）へのあらゆる動きに抵抗するように提供され得る。クランプはまた、アンテナの部品のすべてを一緒に固定するように配置され得る。例えば、クランプは、固体誘電体を導体のうちの１つに固定し得る。一構成では、固体誘電体は、フランジを提供され得、かつクランプは、フランジと係合するように提供され得る。一旦、設置されたならば、クランプは、固体誘電体をハウジング構造に固定し得る。第２の導体はまた、ハウジング構造にクランプによってクランプ留めされ得る。
【００２６】
ここで、添付の図面を参照しながら、本発明の実施形態を単に例として説明する。
【図面の簡単な説明】
【００２７】
【図１】本発明の実施形態の無人地上センサユニットを示す概略側面図である。
【図２】図１に示す無人地上センサユニットを示す線Ａ−Ａ断面図である。
【図３】図１に示す無人地上センサユニットを示す分解図である。
【図４Ａ】本発明の実施形態のアンテナで用いる固体誘電体部品を示す斜視図である。
【図４Ｂ】図４Ａに示す固体誘電体部品を示す上面図である。
【図４Ｃ】図４Ａに示す固体誘電体部品を示す側面図である。
【図４Ｄ】図４Ｃに示す固体誘電体部品を示す線Ａ−Ａ断面図である。
【図５Ａ】本発明の実施形態のアンテナで用いる保持リングを示す斜視図である。
【図５Ｂ】図５Ａに示す保持リングを示す上面図である。
【図５Ｃ】図５Ａに示す保持リングを示す側面図である。
【図５Ｄ】図５Ａに示す保持リングを示す底面図である。
【図６】本発明の実施形態における、無人地上センサにおける組み立て用のアンテナを示す断面図である。
【発明を実施するための形態】
【００２８】
図１〜３は、セキュリティまたは監視システムの部分として使用するための無人地上センサユニット３０を示している。無人地上センサユニットは、本体部分６と、ヘッド部分５とを備える。本体部分６およびヘッド部分５は一緒に、内部にセンサユニットのその他の部品が配置されるハウジングを形成する。本実施形態では、センサユニットに電力を供給するための電池７が、本体部分６内の区画に配置されている。また地上センサユニット内には、センサ３と、アンテナ２とが提供される。本実施形態では、センサ３およびアンテナ２は、ユニットのヘッド部分２に配置されている。これは、ユニットが地面に設置されたときに、アンテナ２が地面よりも上方に配置されることを意味している。ねじ山が、本体部分６の外面の上かつ周囲に提供される。このようにして、センサユニットが主軸を中心に回転されると同時に、センサユニットが地面の中に挿入される場合、ねじ山は、センサユニットを少なくともヘッド部分２が地表面に接触する点まで周囲の地面に引き込むのに役立つ。したがって、設置、または配備される際、本体部分６は、地表面よりも下に配置される。
【００２９】
ヘッド部分２には、係合用凹部２６（図１参照）が提供されて、センサユニットを地中に挿入するため、センサユニットを主軸を中心に回転させる行為を助ける。一部のケースでは、配備用の道具がこれらの凹部と係合するために提供されて、ユニットの挿入を助け得る。
【００３０】
図３から明らかなように、アンテナ２は、ユニットのヘッド部分５に主に収容されている。アンテナは、印刷回路基板２０１の第１の側面に取り付けられる基部導体１００を含む。アンテナ制御回路は、印刷回路基板２０１の第２の側面上に提供され、センサ３もまた、印刷回路基板に接続される。保持リング４は、アンテナ２の様々な部品をまとめてクランプ留めするように提供される。固定リング８、９は、内部部品のすべてが組み立てられたならば、ヘッド部分５および本体部分６を一緒にクランプ留めするように提供される。一部の構成では、単一の固定リングが提供されることもある。
【００３１】
アンテナ２のさらなる詳細が図６から明らかとなる。アンテナ２は、基部導体１００と頂部導体１０２とを備え、これらの両方とも円形のプレートであり、銅から作られ、かつ（ユニットの通常の動作配置に対して）水平面に配置される。真鍮製のアンテナロッド２０４は、頂部導体１０２へ電気的に接続される。基部導体１００に孔が提供され、アンテナロッド２０４がその孔を通って延びて、基部導体１００の反対側の印刷回路基板１０４上のアンテナ制御回路に接続される。絶縁リング１０６は、アンテナロッド２０４の基部導体１００を通って延びる部分の周囲に提供されて、アンテナロッド２０４が基部導体１００から電気的に絶縁されるようにする。
【００３２】
基部導体１００は、地面に接続され、２つの短絡ピン２０５は、頂部導体１０２および基部導体１００の間に提供される。銅製の短絡ピン２０５は、アンテナロッド２０４の直径方向の両側に提供される。
【００３３】
誘電体スペーサ２０２は、基部導体１００および頂部導体１０２の間に提供される。誘電体スペーサ２０２は、アンテナロッド２０４および短絡ピン２０５を収容するための孔を含む。
【００３４】
動作時、アンテナ制御回路は、アンテナロッド１０２に電流を励起するように配置され、そしてこの電流が頂部導体１０２に流れる。短絡ピン２０５は、電流を基部導体１００に流し、そこで、電流は接地される。この構成は、無人地上センサの適用において改善されたアンテナ効率を提供することが実験によって判明している。
【００３５】
誘電体スペーサ２０２のさらなる詳細が図４Ａ〜図４Ｄに示されている。誘電体スペーサ２０２は、アンテナロッド２０４および短絡ピン２０５を収容するための孔１０８を有する略円筒形である。フランジ１１０は、アンテナ２の通常の動作配置に対して、スペーサ２０２の底部に提供され、またフランジ１１０は、固定切り欠き部１１２を含む。フランジ１１０および固定切り欠き部１１２は、保持リング４によって係合されるように意図されており、このさらなる詳細は図５Ａ〜図５Ｄから明らかになる。
【００３６】
保持リング４は、誘電体スペーサ２０２の上に嵌まるように設計され、またリング４は、フランジ１１０と係合するためのつかみ歯１１６を有する表面１１４を含む。固定係合部１１８はまた、フランジ１１０の切り欠き部１１２と係合して、スペーサ２０２のあらゆる回転運動に抵抗するために提供される。保持リング４が所定の位置に嵌められると、スペーサ２０２のあらゆる垂直または回転運動に耐えることができ、ロッドと導体との間ならびに短絡ピンと導体との間におけるはんだ接合部の損傷を防ぐ。
【図１】
2015537427.tif 000003
【図２】
2015537427.tif 000004
【図３】
2015537427.tif 000005
【図４Ａ】
2015537427.tif 000006
【図４Ｂ】
2015537427.tif 000007
【図４Ｃ】
2015537427.tif 000008
【図４Ｄ】
2015537427.tif 000009
【図５Ａ】
2015537427.tif 000010
【図５Ｂ】
2015537427.tif 000011
【図５Ｃ】
2015537427.tif 000012
【図５Ｄ】
2015537427.tif 000013
【図６】
2015537427.tif 000014
【手続補正書】
【提出日】平成27年4月16日(2015.4.16)
【手続補正１】
【補正対象書類名】特許請求の範囲
【補正対象項目名】全文
【補正方法】変更
【補正の内容】
【特許請求の範囲】
【請求項１】
アンテナであって、
第１の平面を有する第１の導体と、
第２の平面を有する第２の導体であって、前記第２の平面が前記第１の平面に対して実質的に平行である、第２の導体と、
前記第１の導体に接続され、前記第１および第２の導体の間に延びる、導電ピンと、
前記第１および第２の平面の間の空間に配置される固体誘電体スペーサと、
前記固体誘電体と係合して、それを所定の位置に保持するためのクランプであって、前記固体誘電体が、その回転に抵抗するように係合され得る固定機構を含む、クランプと
を備える、アンテナ。
【請求項２】
前記固体誘電体が、前記クランプによって係合され得るフランジを備える、請求項１に記載のアンテナ。
【請求項３】
前記第１の導体に接続され、前記第１および第２の導体の間に延びる１つまたは２つ以上の短絡ピンであって、前記１つまたは２つ以上の短絡ピンが、前記第１および第２の導体の両方に電気的に接続される、１つまたは２つ以上の短絡ピン
を更に備える、請求項１に記載のアンテナ。
【請求項４】
前記アンテナ導電ピンが、前記第１の導体に電気的に接続され、かつ前記第２の導体から電気的に絶縁される、請求項３に記載のアンテナ。
【請求項５】
前記アンテナ導電ピンが、前記第２の導体にある孔を通って延在し、電気絶縁体が、前記第２の導体および前記アンテナ導電ピンの間に提供される、請求項４に記載のアンテナ。
【請求項６】
少なくとも２つの短絡ピンが存在し、前記アンテナ導電ピンの反対側に配置される、請求項３に記載のアンテナ。
【請求項７】
前記１つまたは２つ以上の短絡ピンが、前記アンテナ導電ピンと異なる材料から作られる、請求項３に記載のアンテナ。
【請求項８】
電流が前記導電ピンを通って前記第１の導体に導かれ得るように、前記アンテナ導電ピンに電気的に接続されるアンテナコントローラを備える、請求項１に記載のアンテナ。
【請求項９】
前記アンテナコントローラが、回路基板に提供され、前記回路基板が、前記第１の導体に対して、前記第２の導体の反対側に取り付けられる、請求項８に記載のアンテナ。
【請求項１０】
前記第２の導体が固定電位で構成される、請求項１〜９のいずれか１項に記載のアンテナ。
【請求項１１】
前記固体誘電体が、それを通って前記アンテナ導電ピンが延在し得る孔を備える、請求項１に記載のアンテナ。
【請求項１２】
動作周波数が、８００〜１０００ＭＨｚの範囲にある、請求項１に記載のアンテナ。
【請求項１３】
無人地上センサであって、請求項１に記載のアンテナを収容するためのハウジングを備える、無人地上センサ。
【請求項１４】
ユニットの領域における物理現象を感知するための少なくとも１つのセンサをさらに備え、前記アンテナが、前記感知した物理現象に関する情報を送信するように構成される、請求項１３に記載の無人地上センサ。
【国際調査報告】
2015537427.tif 000015
2015537427.tif 000016
2015537427.tif 000017